(57)【要約】【課題】ビニールハウスのシート材を張設する際、シート材を容易かつ強固に固定する。【解決手段】帯状の底壁部３０と、この底壁部３０の長手側端部の両側にそれぞれ立設された第１側壁部３１および第２側壁部３２とによって、底壁部３０よりも幅狭の開口部３３が形成され、シート材の一部を挿入させる溝部３４を有するシート材留め条材３と、シート材留め条材３の溝部３４内に配置可能であり、シート材に裏面が当接する帯板状の底板部４１と、この底板部４１の長手側端部の両側にそれぞれ内側に向けて斜め上方に延設された第１側板部４２および第２側板部４３であり、シート材留め条材３の第１側壁部３１および第２側壁部３２の内側にそれぞれ係合する第１側板部４２および第２側板部４３と、この第２側板部４３の上端部から外側に向けて延設され、シート材留め条材３の第２側壁部３２の上端部に係合する係合部４４とを有するシート材留め具４とを含む。【選択図】図６
2014018113.tif 000002
【特許請求の範囲】
【請求項１】
ビニールハウス用のシート材を止着するシート材止着装置であって、
帯状の底壁部と、この底壁部の長手側端部の両側にそれぞれ立設された第１側壁部および第２側壁部とによって、前記底壁部よりも幅狭の開口部が形成された溝部であり、前記シート材の一部を挿入させる溝部を有するシート材留め条材と、
前記シート材留め条材の溝部内に配置可能であり、前記シート材に裏面が当接する帯板状の底板部と、この底板部の長手側端部の両側にそれぞれ内側に向けて斜め上方に延設された第１側板部および第２側板部であり、前記シート材留め条材の第１側壁部および第２側壁部の内側にそれぞれ係合する第１側板部および第２側板部と、この第２側板部の上端部から外側に向けて延設され、前記シート材留め条材の第２側壁部の上端部に係合する係合部とを有するシート材留め具と
を含むシート材止着装置。
【請求項２】
前記シート材留め条材は、当該シート材留め条材の第２側壁部の上端縁の内側に向かって凸状の曲面で形成された膨出部を有するものであり、
前記シート材留め条材の第１側壁部は、前記シート材留め具が前記溝部に配置されたときに前記シート材留め具の第１側板部に覆い被さる形状である
請求項１記載のシート材止着装置。
【請求項３】
帯状の底壁部と、この底壁部の長手側端部の両側にそれぞれ立設された第１側壁部および第２側壁部とによって、前記底壁部よりも幅狭の開口部が形成された溝部であり、前記シート材の一部を挿入させる溝部を有するシート材留め条材と協働して、ビニールハウス用のシート材を止着するシート材留め具であって、
前記シート材留め条材の溝部内に配置可能であり、前記シート材に裏面が当接する帯板状の底板部と、この底板部の長手側端部の両側にそれぞれ内側に向けて斜め上方に延設された第１側板部および第２側板部であり、前記シート材留め条材の第１側壁部および第２側壁部の内側にそれぞれ係合する第１側板部および第２側板部と、この第２側板部の上端部から外側に向けて延設され、前記シート材留め条材の第２側壁部の上端部に係合する係合部とを有するシート材留め具。
【請求項４】
前記第１側板部は、その内側に板状の取り付け工具の先端部を押し当てた際に前記第１側板部の内側に固定されるように前記第１側板部の内側の斜め上方に向かって延設されたものである請求項３記載のシート材留め具。
【請求項５】
ビニールハウス用のシート材を止着するシート材止着方法であって、
帯状の底壁部と、この底壁部の長手側端部の両側にそれぞれ立設された第１側壁部および第２側壁部とによって、前記底壁部よりも幅狭の開口部が形成された溝部を有するシート材留め条材の前記溝部上に、前記シート材の一部を挿入した後、
前記シート材留め条材の溝部内に配置可能であり、前記シート材に裏面が当接する帯板状の底板部と、この底板部の長手側端部の両側にそれぞれ内側に向けて斜め上方に延設された第１側板部および第２側板部であり、前記シート材留め条材の第１側壁部および第２側壁部の内側にそれぞれ係合する第１側板部および第２側板部と、この第２側板部の上端部から外側に向けて延設され、前記シート材留め条材の第２側壁部の上端部に係合する係合部とを有するシート材留め具を、前記シート材留め条材の前記溝部に装着し、前記底板部により前記シート材を押圧する
ことを特徴とするシート材止着方法。
【請求項６】
さらに、前記シート材留め具の底板部上にシート材を重ねた後、前記シート材留め具の第１側板部と第２側板部との間に、これらの間を拡げる方向に付勢するとともに前記シート材留め具の側板部上のシート材を押圧する脱落防止体を配設することを特徴とする請求項６記載のシート材止着方法。
【発明の詳細な説明】
【技術分野】
【０００１】
本発明は、ビニールハウス用のシート材を止着するシート材止着装置、シート材留め具およびシート材止着方法に関する。
【背景技術】
【０００２】
一般にビニールハウスは、複数のパイプ状骨材間に樹脂フィルムからなるシート材を張設して形成されている。従来、このシート材を適宜箇所で止着するために、骨材間にシート材留め条材を架設して、このシート材留め条材に形成された溝部内にシート材の一部を挿入し、この溝部内においてシート材の上から例えば波形のスプリング材を配設することにより、シート材をシート材留め条材に係止している（例えば、特許文献１参照。）。
【０００３】
また、例えば特許文献２には、水平な底部と、底部の両端から上方に伸びる側壁部と、側壁上方に設けられた固定部材辺嵌合空間と、固定部材辺嵌合空間の上端を画定しかつ固定部材辺の嵌合空間への嵌合を案内する支持案内部を有する断面形状の支持部材と、固定部材辺嵌合空間に嵌合する寸法を有する固定部材辺と、固定部材辺の一端に設けた押圧部を兼ねる下方案内辺を有する断面形状の固定部材とからなり、固定部材の固定部材辺が支持部材の固定部材辺嵌合空間に嵌合されてフィルムを固定するフィルム固定装置が開示されている。
【０００４】
このフィルム固定装置では、支持部材の固定部材辺嵌合空間は、両方の側壁部の上端で外側に９０度以下の角度で曲げられて外側下方に伸びる横辺部と、横辺部の先端で９０度以下の角度で内側に曲げられて上方に伸びる支持係止め辺で横方向を画定されており、支持案内部は支持係止め辺の上端で先端が内側に巻き込まれた断面形状を有するとともに、固定部材の固定部材辺が支持部材の支持案内部先端間距離よりも広くかつ横辺部の幅方向外方先端間距離よりも狭い幅を有する基部と、基部の一端で先端が上方内側に巻き込まれた固定上案内部と、基部の他端で９０度以下の角度で曲げられて内側上方に伸びる固定係止め辺とからなり、下方案内辺が固定係止め辺の先端で９０度以下の角度で外側に曲げられて外側下方に伸び、その先端に先端が下方内側に巻き込まれた固定下案内部を有する断面形状を有し、支持部材と固定部材が、固定部材の固定上案内部が支持部材の一方の横辺部と支持案内部の間に嵌合され、固定部材の基部下面が支持部材の横辺部上面と接触しているとともに、固定部材の固定上案内部の湾曲外面が支持部材の支持係止め辺の内面と接触しており、固定部材の固定係止め辺と固定下案内部の間に支持部材の他方の支持案内部が嵌合され、固定部材の固定係止め辺および下方案内辺の内面が支持部材の支持案内部の湾曲外面と接触する位置関係にある。この固定部材の被着は、支持部材の一方の横辺部と支持案内部の間に固定部材の固定上案内部を押し込み、その後、固定部材の固定上案内部側端部を支点にして下方案内辺を下方に押し下げ、固定部材の基部と固定係止め辺との折り曲げ部を、支持部材の他方の支持案内部を外側に押し広げるように支持案内部と横辺部の間に押し込むことにより行われる。
【先行技術文献】
【特許文献】
【０００５】
【特許文献１】特開２００５−１２４５２６号公報
【特許文献２】特開２００４−１８７６７０号公報
【発明の概要】
【発明が解決しようとする課題】
【０００６】
特許文献１に記載の方法では、シート材を止着する際に、波形のスプリング材を１波ずつ溝部内に嵌め込んでいく必要があり、取り付けに手間が掛かる。また、特許文献２に記載のフィルム固定装置では、金属板の弾性復元力を活用して容易に取り付けができるとされているが、フィルムが容易に外れないようにしているため、取り付け時に、固定部材の基部と固定係止め辺との折り曲げ部を、支持部材の他方の支持案内部を外側に押し広げる際、下方案内辺をかなり強い力で押し下げる必要がある。
【０００７】
そこで、本発明においては、ビニールハウスのシート材を張設する際、シート材を容易かつ強固に固定することが可能なシート材止着装置、シート材留め具およびシート材止着方法を提供することを目的とする。
【課題を解決するための手段】
【０００８】
本発明のシート材止着装置は、ビニールハウス用のシート材を止着するシート材止着装置であって、帯状の底壁部と、この底壁部の長手側端部の両側にそれぞれ立設された第１側壁部および第２側壁部とによって、底壁部よりも幅狭の開口部が形成された溝部であり、シート材の一部を挿入させる溝部を有するシート材留め条材と、シート材留め条材の溝部内に配置可能であり、シート材に裏面が当接する帯板状の底板部と、この底板部の長手側端部の両側にそれぞれ内側に向けて斜め上方に延設された第１側板部および第２側板部であり、シート材留め条材の第１側壁部および第２側壁部の内側にそれぞれ係合する第１側板部および第２側板部と、この第２側板部の上端部から外側に向けて延設され、シート材留め条材の第２側壁部の上端部に係合する係合部とを有するシート材留め具とを含むものである。
【０００９】
本発明のシート材止着装置によれば、シート材留め条材の溝部上に、シート材の一部を挿入した後、シート材留め具を、シート材留め条材の溝部に装着し、底板部によりシート材を押圧することで、シート材を止着することができる。なお、シート材留め具をシート材留め条材の溝部に装着する際は、シート材留め条材の底壁部よりも幅狭の開口部から第１側壁部の内側にシート材留め具の第１側板部を挿入し、このシート材留め具の第１側板部の内側に板状の取り付け工具を押し当て、シート材留め条材の第２側壁部側へ押し込むようにする。このとき、シート材留め具の第１側板部はシート材留め具の内側に向けて斜め上方に延設されているため、板状の取り付け工具の先端部は、シート材留め具の第１側板部の内側に固定され、このシート材留め具の第１側板部の内側が支点となって、シート材留め具の反対側の第２側板部が作用点となり、てこの原理によりシート材留め条材の第２側壁部の内側へ押し込まれる。
【００１０】
ここで、シート材留め条材は、当該シート材留め条材の第２側壁部の上端縁の内側に向かって凸状の曲面で形成された膨出部を有するものであり、シート材留め条材の第１側壁部は、シート材留め具が溝部に配置されたときにシート材留め具の第１側板部に覆い被さる形状であることが望ましい。これにより、シート材留め具の第１側板部の内側に板状の取り付け工具を押し当て、第２側板部をシート材留め条材の第２側壁部側へ押し込む際に、シート材留め具の第１側板部がシート材留め条材の第１側壁部から外れることを防止することができるとともに、シート材留め具の第２側板部がシート材留め条材の凸状の曲面で形成された膨出部によって滑らかに溝部内に導かれる。
【００１１】
また、本発明に係るシート材留め具の底板部上にさらにシート材を重ねた後、シート材留め具の第１側板部と第２側板部との間に、これらの間を拡げる方向に付勢するとともにシート材留め具の側板部上のシート材を押圧する脱落防止体を配設することも可能である。これにより、ビニールハウスにシート材を重ねて張設することが可能となる。
【発明の効果】
【００１２】
本発明によれば、ビニールハウスのシート材を張設する際、シート材留め具をシート材留め条材に容易に着脱することができるとともに、シート材を確実に押圧して、容易かつ強固に固定することが可能となる。
【図面の簡単な説明】
【００１３】
【図１】本発明の実施の形態におけるシート材止着装置が用いられたビニールハウスの斜視図である。
【図２】図１のシート材止着装置を構成するシート材留め具の斜視図である。
【図３】図２のシート材留め具の正面図である。
【図４】図１のシート材止着装置を構成するシート材留め条材の斜視図である。
【図５】図４のシート材留め条材の正面図である。
【図６】図１のシート材止着装置によりシート材を止着した状態を示す説明図である。
【図７】図１のシート材止着装置にシート材を止着する手順を示す説明図である。
【発明を実施するための形態】
【００１４】
図１は本発明の実施の形態におけるシート材止着装置が用いられたビニールハウスの斜視図、図２は図１のシート材止着装置を構成するシート材留め具の斜視図、図３は同シート材留め具の正面図、図４は図１のシート材止着装置を構成するシート材留め条材の斜視図、図５は同シート材留め条材の正面図、図６は図１のシート材止着装置によりシート材を止着した状態を示す説明図である。
【００１５】
図１において、本発明の実施の形態におけるビニールハウス１は、複数のハウス構築用の骨材１０を適宜箇所で所定の緊結具により連結し、これら骨材１０を組み合わせて構築した構造物の外側に、ハウス形成用の樹脂フィルムからなるシート材としてのビニールシートＳ１，Ｓ２を被覆して構成している。なお、本実施形態におけるビニールハウス１では、屋根用ビニールシートＳ１と側壁用ビニールシートＳ２とを用いて屋根部分と側壁部分とで使い分けられている。ビニールシートＳ１，Ｓ２は、後に詳述するシート材止着装置２を用いて構造物に止着される。
【００１６】
ビニールシートＳ１，Ｓ２の材料となる樹脂フィルムは、いわゆる農業用フィルムであり、塩化ビニル系のフィルム（塩ビ系フィルム）や、ポリオレフィン系のフィルム（ＰＯ系フィルム）が好適に用いられる。なお、本実施形態では、塩ビ系フィルムよりも薄くて伸縮しにくく、かつ軽量でフィルム張りが楽であるＰＯ系フィルムを用いている。
【００１７】
シート材止着装置２は、主に、縦配置した骨材１０，１０，・・・間に架設される２連式のシート材留め条材３と、このシート材留め条材３と協働するシート材留め具４とから構成される。本実施形態においては、シート材止着装置２は屋根部分と側壁部分との境界部分に設けられている。２連式のシート材留め条材３は、互いに隣接配置された第１止着部３ａと第２止着部３ｂとを連結した構成となっており、第１止着部３ａには屋根用ビニールシートＳ１が、第２止着部３ｂには側壁用ビニールシートＳ２がそれぞれ止着される。
【００１８】
シート材留め条材３は、押し出し成形により製造されたアルミニウム製である。シート材留め条材３の第１止着部３ａは、図４に示すように、帯状の底壁部３０と、この底壁部３０の長手側端部の両側にそれぞれ立設された第１側壁部３１および第２側壁部３２とによって、底壁部３０よりも幅狭の開口部３３が形成された溝部３４とを有している。溝部３４には、ビニールシートＳ１の一部を挿入させた後、シート材留め具４が配置される。
【００１９】
第１側壁部３１は、図５に示すように横断面視で略Ｃ字状に形成されている。第１側壁部３１の端縁には、所定の半径で外観的に略円形状とした膨出部３１ａが第１側壁部３１の外側に向かって（底壁部３０から離れる方向に）膨出させて形成されている。なお、第１側壁部３１は、シート材留め具４が溝部３４に配置されたときに、シート材留め具４の第１側板部４２に覆い被さる形状であればよい。一方、第２側壁部３２は、底壁部３０に対して垂直に形成されている。第２側壁部３２の端縁にも、所定の半径で外観的に略円形状とした膨出部３２ａが第１側壁部３１側に向かって膨出させて形成されている。
【００２０】
また、シート材留め条材３は、図５に示すように底壁部３０の裏面に横断面視で略Ｌ字状に形成された樋部３５を有している。樋部３５の端縁には、所定の半径で外観的に略円形状とした膨出部３５ａが底壁部３０側に向かって膨出させて形成されている。なお、樋部３５は、ビニールシートＳ１の内側を伝って流れてくる結露水を排水するためのものであるが、この樋部３５は省略することも可能である。
【００２１】
一方、シート材留め条材３の第２止着部３ｂは、帯状の底壁部３６と、この底壁部３６の長手側端部の両側にそれぞれ内側に向けて斜め上方に延設された第１側壁部３７および第２側壁部３８とによって、底壁部３６よりも幅狭の開口部３９が形成された溝部４０とを有している。この溝部４０には、ビニールシートＳ２の一部を挿入させた後、脱落防止体としての波形の線状スプリング５（図６参照。）が配置される。
【００２２】
第１側壁部３７は、シート材留め条材３の底壁部３０と第２側壁部３２との境界部分に連接されている。また、底壁部３６の裏面と樋部３５の裏面とが同一面となるように配設されている。また、第１側壁部３７および第２側壁部３８の先端部には、それぞれ所定の半径で外観的に略円形状とした膨出部３７ａ，３８ａが底壁部３０から離れる方向に向かって膨出させて形成されている。
【００２３】
上記膨出部３１ａ，３２ａ，３７ａ，３８ａは、いずれもビニールシートＳ１，Ｓ２を張設した際に、ビニールシートＳ１，Ｓ２が膨出部３１ａ，３２ａ，３７ａ，３８ａに当接しても、ビニールシートＳ１，Ｓ２に集中的な力が加わることを可及的に防止して、ビニールシートＳ１，Ｓ２が破損したりすることがないようにしている。
【００２４】
また、本実施形態におけるシート材留め具４は、押し出し成形により製造されたアルミニウム製であり、図２に示すように、ビニールシートＳ１に裏面が当接する帯板状の底板部４１と、この底板部４１の長手側端部の両側にそれぞれ内側に向けて斜め上方に延設された第１側板部４２および第２側板部４３と、第２側板部４３の上端部から外側に向けて延設され、シート材留め条材３の第２側壁部３２の上端部に係合する係合部４４とを有する。シート材留め具４は、図３に示すように、横断面視で略乙字状に形成されている。
【００２５】
底板部４１は、シート材留め条材３の溝部３４内に配置可能である。底板部４１の幅Ｗは、シート材留め条材３の開口部３３の幅寸よりも広く形成されるとともに、シート材留め条材３の底壁部３０の幅寸よりは狭く形成されている。
【００２６】
第１側板部４２および第２側板部４３は、底板部４１をシート材留め条材３の溝部３４内に配置したときに、シート材留め条材３の第１側壁部３１および第２側壁部３２の内側にそれぞれ係合可能となっている。また、底板部４１をシート材留め条材３の溝部３４内に配置したときに、シート材留め条材３の第２側壁部３２の上端部の膨出部３２ａが、シート材留め具４の第２側板部４３と係合部４４との間に係合可能となっている。
【００２７】
上記構成のシート材留め具４は、図６に示すように、シート材留め条材３の第１止着部３ａの溝部３４に取り付けられて屋根用ビニールシートＳ１を止着するために用いられる。ビニールシートＳ１は、予めビニールハウス１に取り付けられたシート材留め条材３の溝部３４の上に重なるように垂らしておき、図７に示すように、シート材留め具４の第１側板部４２側をシート材留め条材３の第１側壁部３１の内部へ挿入する。
【００２８】
次に、シート材留め具４の第１側板部４２の内側に板状の取り付け工具Ｔを押し当て、図７に矢印で示すように、第２側板部４３をシート材留め条材３の第２側壁部３２側へ押し込む。このとき、シート材留め具４の第１側板部４２はシート材留め具４の内側に向けて斜め上方に延設されているため、板状の取り付け工具Ｔの先端部は、シート材留め具４の第１側板部４２の内側に固定され、このシート材留め具４の第１側板部４２の内側が支点となって、シート材留め具４の反対側の第２側板部４３が作用点となる。したがって、シート材留め具４は、てこの原理によりシート材留め条材３の第２側壁部３２の内側へ押し込まれる。このとき、シート材留め具４の第２側板部４３は、シート材留め条材３の凸状の曲面で形成された膨出部３２ａによって滑らかに溝部３４内に導かれた後、この膨出部３２ａが、シート材留め具４の第２側板部４３と係合部４４との間に係合する。
【００２９】
これにより、ビニールシートＳ１は、図６に示すようにシート材留め具４によってシート材留め条材３の溝部３４内に押圧保持される。また、前述のようにシート材留め条材３の第１側壁部３１が横断面視で略Ｃ字状に形成されており、シート材留め具４の第１側板部４２に覆い被さっているため、シート材留め具４の第１側板部４２がシート材留め条材３の第１側壁部３１から外れない。そのため、ビニールシートＳ１の第１側壁部３１側の外側への引っ張りに対して強く、ビニールシートＳ１は強固に固定される。
【００３０】
また、このシート材留め条材３の第２止着部３ｂの溝部４０には、側壁用のビニールシートＳ２が止着される。ビニールシートＳ２の止着は、第２止着部３ｂの溝部４０内にビニールシートＳ２の一部を挿入し、溝部４０内に波形の線状スプリング５を配設することにより行われる。この線状スプリング５を配設することにより、ビニールシートＳ２が第１側壁部３７および第２側壁部３８側へ付勢され、シート材留め条材３の第２止着部３ｂの溝部４０内に押圧保持される。
【００３１】
屋根用ビニールシートＳ１は、巻き上げて開放したりする側壁用ビニールシートＳ２よりも張設された状態で長期的に用いられることが多く、しかも風などの影響を受けやすいために、より強固に止着することが望まれる。本実施形態におけるシート材止着装置２では、屋根用ビニールシートＳ１は、シート材留め具４によって強固に固定され、側壁用ビニールシートＳ２は、線状スプリング５によって着脱容易に固定されるので、ビニールハウス１の屋根部分と側壁部分との境界部分に好適である。
【００３２】
なお、シート材留め具４の長さとしては、止着するビニールシートＳ１に合わせて適宜設定でき、例えばシート材留め条材３と同じ長さとしてもよいし、適宜長さに切断したものとしてもよい。なお、線状スプリング５は、その長さを適宜決定できるが、必ずしも長尺なものを使用する必要はなく、例えば１０〜３０ｃｍの長さのものを用いることもできる。
【００３３】
また、本実施形態におけるシート材止着装置２では、シート材留め具４の底板部４１上に、さらに別のシート材（図示せず。）を重ねた後、シート材留め具４の第１側板部４２と第２側板部４３との間に線状スプリング５を配設することにより、シート材を第１側板部４２および第２側板部４３の内側に押圧し、シート材を重ねて張設することが可能となっている。なお、線状スプリング５に代えて、適宜形状の脱落防止体を用いることも可能である。
【産業上の利用可能性】
【００３４】
本発明のシート材止着装置、シート材留め具およびシート材止着方法は、ビニールハウス用のシート材をビニールハウスの構造物に止着するものとして有用である。
【符号の説明】
【００３５】
Ｓ１  屋根用ビニールシート
Ｓ２  側壁用ビニールシート
１  ビニールハウス
２  シート材止着装置
３  シート材留め条材
３ａ  第１止着部
３ｂ  第２止着部
４  シート材留め具
５  線状スプリング
１０  骨材
３０，３６  底壁部
３１，３７  第１側壁部
３２，３８  第２側壁部
３１ａ，３２ａ，３５ａ，３７ａ，３８ａ  膨出部
３３，３９  開口部
３４，４０  溝部
３５  樋部
４１  底板部
４２  第１側板部
４３  第２側板部
４４  係合部
【図１】
2014018113.tif 000003
【図２】
2014018113.tif 000004
【図３】
2014018113.tif 000005
【図４】
2014018113.tif 000006
【図５】
2014018113.tif 000007
【図６】
2014018113.tif 000008
【図７】
2014018113.tif 000009